(57)【特許請求の範囲】
【請求項１】
取引に係る表示を行って操作を受け付ける顧客操作表示部と、
前記取引に係る現金を入出金する入出金部と
を有する自動取引装置の省電力方法であって、
顧客が前記取引を開始するときに前記自動取引装置にカードを挿入すると、前記カードの読み取りを行うカード読み取り処理と、
前記カード読み取り処理の完了後、前記入出金部の省電力モードを解除する省電力モード解除処理と、
前記省電力モード解除処理と並行して、前記顧客に対して前記顧客操作表示部に於いて前記取引の種類を選択させる取引選択処理と、
前記省電力モード解除処理と並行して、前記顧客に対して前記顧客操作表示部に於いて前記取引に係る各種情報を入力させる取引情報入力処理と、
前記取引選択処理、前記取引情報入力処理、及び前記省電力モード解除処理が完了したならば、前記入出金部に於いて前記取引に係る前記現金を入出金する入出金処理と、
を有することを特徴とする自動取引装置の省電力方法。
【請求項２】
前記入出金部は、更に、貨幣を出金する接客部を有し、
前記接客部へ搬送した前記貨幣が取り出されたことを検知したならば、前記入出金部を前記省電力モードに設定することを特徴とする請求項１記載の自動取引装置の省電力方法。
【請求項３】
前記入出金部は、更に、各貨幣の貨幣種類を識別する貨幣識別部を有し、
前記接客部へ前記貨幣を搬送したことを検知したならば、前記貨幣識別部を前記省電力モードに設定することを特徴とする請求項２記載の自動取引装置の省電力方法。
【請求項４】
前記省電力モード解除処理は、前記入出金部を制御する回路の初期化、前記入出金部に搭載されたセンサによる状態の検知、又は前記入出金部を制御する機構部の位置の初期化のいずれかの処理を行うことを特徴とする請求項１〜３のいずれか１項に記載の自動取引装置の省電力方法。
【請求項５】
１以上の貨幣種類の各貨幣をそれぞれ格納している複数の貨幣格納部と、
前記複数の貨幣格納部からそれぞれ搬送された前記各貨幣を顧客に出金する接客部と、
を有する自動取引装置の省電力方法であって、
出金取引のとき、前記出金取引の金額から前記各貨幣の前記貨幣種類毎の出金枚数を算出する出金枚数算出処理と、
前記出金枚数算出処理の完了後、前記出金枚数が少ない前記貨幣を格納した前記貨幣格納部から順に、前記貨幣を前記接客部に搬送する貨幣搬送処理と、
前記貨幣搬送処理の完了後、前記貨幣を格納している前記貨幣格納部の駆動を停止する駆動停止処理と、
を有することを特徴とする自動取引装置の省電力方法。
【請求項６】
各貨幣の貨幣種類を識別する貨幣識別部と、
前記各貨幣を、前記貨幣識別部が識別した順番に一時的に格納する一時格納部と、
前記各貨幣を、前記貨幣種類ごとにそれぞれ格納する複数の貨幣格納部と、
を有する自動取引装置の省電力方法であって、
前記各貨幣を前記一時格納部に格納する貨幣格納処理と、
前記貨幣格納処理と並行して、前記貨幣識別部が識別した順番に前記貨幣種類を記憶する貨幣種類記憶処理と、
前記貨幣種類記憶処理にて記憶された前記貨幣種類と、前記貨幣識別部が識別した前記順番と、に基づき、前記一時格納部に格納された前記各貨幣を前記各貨幣格納部に搬送する前に、前記各貨幣の前記貨幣種類に応じた前記各貨幣格納部を予め駆動する駆動処理と、
を有することを特徴とする自動取引装置の省電力方法。
【請求項７】
各貨幣の貨幣種類を識別する貨幣識別部と、
前記貨幣識別部が識別した前記各貨幣を一時的に格納する一時格納部と、
前記各貨幣を、前記貨幣種類ごとにそれぞれ格納する複数の貨幣格納部と、
を有する自動取引装置の省電力方法であって、
前記各貨幣を前記一時格納部に格納する貨幣格納処理と、
前記貨幣格納処理と並行して、前記貨幣識別部が識別した順番に前記貨幣種類を記憶する貨幣種類記憶処理と、
前記貨幣種類記憶処理にて記憶された前記貨幣種類に基づき、前記一時格納部に格納された前記各貨幣を前記各貨幣格納部に搬送する前に、前記一時格納部に格納された前記貨幣種類に応じた前記各貨幣格納部を予め駆動する駆動処理と、
を有することを特徴とする自動取引装置の省電力方法。
【請求項８】
請求項６又は７記載の自動取引装置の省電力方法において、更に、前記各貨幣格納部を駆動したのち、前記各貨幣格納部に応じた前記貨幣種類の全ての前記各貨幣が、前記一時格納部から前記各貨幣格納部に搬送されたならば、前記各貨幣格納部の駆動を停止する駆動停止処理を有することを特徴とする自動取引装置の省電力方法。
【請求項９】
請求項１〜８のいずれか１項に記載の自動取引装置の省電力方法を行うことを特徴とする自動取引装置。
【発明の詳細な説明】
【技術分野】
【０００１】
本発明は、銀行やコンビニエンスストアに設置され、顧客の操作を受けて現金の支払いや預け入れを行う現金自動預払機等の自動取引装置及びその省電力方法、特に低消費電力モード（以下、「省エネモード」という。）の運用に関するものである。
【背景技術】
【０００２】
従来の自動取引装置及びその省電力方法では、顧客の少ない時間帯等にメカ部の電源をオフした省エネモードで運用し、省エネ対策したものが知られている。
【０００３】
特許文献１には、省エネモードから復帰する場合、顧客の待ち時間を無くし、取引時間を短縮する自動取引装置が記載されている。
【先行技術文献】
【特許文献】
【０００４】
【特許文献１】特開２０００−２５９８９４号公報
【発明の概要】
【発明が解決しようとする課題】
【０００５】
しかしながら、従来の自動取引装置及びその省電力方法では、省エネモードも通常運用時と同様に、メカ部の立上げ後に取引が開始される。メカ部の立ち上げには時間が掛かるため、省エネモードから復帰する場合、顧客が取引を選択してから、取引が開始されるまでの間に待ち時間が生じ、この待ち時間の分だけ取引時間が長くなってしまうという課題があった。更に、入出金取引中には、現金を格納している全てのスタッカカセットを常時駆動しているため、無駄に電力を消費しているという課題があった。
【０００６】
特許文献１には、取引時の操作手順を変えて待ち時間を無くす方法が記載されているが、出金取引の際には顧客情報は少なく時間が掛からないため、有効な手段では無く、且つ取引の種類によって操作手順が異なると、利用者の混乱を招く虞があるという課題があった。更に、現金を格納しているスタッカカセットの省電力には寄与しないという課題があった。
【課題を解決するための手段】
【０００７】
本発明の内の第１の発明の自動取引装置の省電力方法は、取引に係る表示を行って操作を受け付ける顧客操作表示部と、前記取引に係る現金を入出金する入出金部と、を備えた自動取引装置の省電力方法であって、顧客が前記取引を開始するときに前記自動取引装置にカードを挿入すると、前記カードの読み取りを行うカード読み取り処理と、前記カード読み取り処理の完了後、前記入出金部の省電力モードを解除する省電力モード解除処理と、前記省電力モード解除処理と並行して、前記顧客に対して前記顧客操作表示部に於いて前記取引の種類を選択させる取引選択処理と、前記省電力モード解除処理と並行して、前記顧客に対して前記顧客操作表示部に於いて前記取引に係る各種情報を入力させる取引情報入力処理と、前記取引選択処理、前記取引情報入力処理、及び前記省電力モード解除処理が完了したならば、前記入出金部に於いて前記取引に係る前記現金を入出金する入出金処理と、を有することを特徴とする。
第２の発明の自動取引装置は、前記第１の発明の自動取引装置の省電力方法を行うことを特徴とする。
【発明の効果】
【０００８】
本発明の自動取引装置及びその省電力方法によれば、所定の動作を検知することによって、入出金部の省電力モードの解除を開始するように構成した。これにより、入出金部の省電力モードの解除は、取引選択及び取引情報入力と並行して動作するので、入出金部が前記取引に係る現金を入出金するまでに完了することが多く、殆どの場合に於いて、取引時間に影響しないという効果を奏する。
【図面の簡単な説明】
【０００９】
【図１】図１は、本発明の実施例１における自動取引装置を示す概略の構成図である。
【図２】図２は、本発明の実施例１における出金取引の画面遷移を示す図である。
【図３】図３は、図１の入出金ユニットにおける出金取引時の紙幣搬送路を示す図である。
【図４】図４は、本発明の実施例１における出金取引のタイムチャートである。
【図５】図５は、本発明の実施例１における取引選択の動作を示すフローチャートである。
【図６】図６は、本発明の実施例１における出金取引の動作を示すフローチャートである。
【図７】図７は、図６の入出金ユニットの紙幣搬送動作を示すフローチャートである。
【図８】図８は、本発明の実施例１における入金取引の画面遷移を示す図である。
【図９】図９は、図１の入出金ユニットにおける入金取引時の紙幣搬送路を示す図である。
【図１０】図１０は、本発明の実施例１における入金取引のタイムチャートを示す図である。
【図１１】図１１は、入金取引において１万６千円が投入された例のタイムチャートである。
【図１２】図１２は、本発明の実施例１における入金取引の動作を示すフローチャートである。
【図１３】図１３は、図１２の入出金ユニットによる一時保留部への保留動作を示すフローチャートである。
【図１４】図１４は、図１２の入出金ユニットによるスタッカカセットへの格納動作を示すフローチャートである。
【図１５】図１５は、本発明の実施例２における入出金ユニットによるスタッカカセットへの格納動作を示すフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の自動取引装置の構成）
図１は、本発明の実施例１における自動取引装置を示す概略の構成図である。
【００１２】
自動取引装置１０は、制御部１１と、顧客操作表示ユニット２０と、カードリーダユニット３０と、入出金ユニット４０を有している。
【００１３】
顧客操作表示ユニット２０は、顧客に取引画面を表示し、前記取引画面に係る操作を受け付ける。カードリーダユニット３０は、取引口座に係るカードの挿入を受け付けるカードリーダライタ部である。入出金ユニット４０は、紙幣１００の入金を受け付ける入出金部である。
【００１４】
自動取引装置１０は、銀行等の金融機関の店舗、又はコンビニエンスストア等の店舗等に設置され、通信回線９１を介してホストコンピュータ９０に通信可能に接続されている。自動取引装置１０は、口座情報が記録された磁気カードやＩＣカード等のカード類や、口座情報が記録された通帳等に係る口座の取引を行う。自動取引装置１０は、顧客の操作によりカード類や通帳等の挿入を受け付け、出金取引や入金取引等の取引を行うものである。磁気カードは、例えば口座情報等が記録された磁気ストライプを備えたカードである。ＩＣカードは、例えば口座情報等が記録された集積回路を内蔵したカードである。
【００１５】
通信回線９１は、複数の自動取引装置１０とホストコンピュータ９０とを相互に通信可能に接続している。この通信回線９１は、有線／無線の専用回線／公衆回線を介して直接に、又はインターネット、ＬＡＮ（Local  Area  Network）、ＷＡＮ（Wide  Area  Network）等のネットワークを経由して間接的に、複数の自動取引装置１０とホストコンピュータ９０とを接続するものであっても良い。
【００１６】
制御部１１は、ＣＰＵ（Central  Processing  Unit）、ＭＰＵ（Micro  Processing  Unit）等の演算及び制御手段であり、自動取引装置１０の全体を制御する。制御部１１は、顧客操作表示ユニット２０と、カードリーダユニット３０と、入出金ユニット４０とが制御可能に接続されると共に、通信回線９１を介してホストコンピュータ９０と相互に通信可能に接続されている。
【００１７】
顧客操作表示ユニット２０は、ＣＲＴディスプレイや液晶ディスプレイ等の表示装置上に、タッチパネル等の操作部を備えている。顧客操作表示ユニット２０は、顧客の入力操作等の案内画面や顧客が入力した情報等を表示し、顧客がタッチスクリーン等の操作部を介して入力操作等を行う顧客操作表示部である。顧客は、表示装置に表示されたボタン等に対応した部位のタッチスクリーンを指で触ることにより、自動取引装置１０に対してボタン押下の指示を与えることができる。
【００１８】
カードリーダユニット３０は、図示しないカード挿入口から挿入された磁気カードやＩＣカードを内部に搬送して、磁気カード上の磁気ストライプに記録された情報やＩＣカード内の集積回路に記録された情報を読み書きするものである。更に、カードリーダユニット３０は、内部に搬送した磁気カードやＩＣカードを図示しないカード挿入口から排出する。カードリーダユニット３０は、カード排出口から排出した磁気カードやＩＣカードを顧客が受け取ったことを判断する。
【００１９】
入出金ユニット４０は、現金引出し取引や現金入金取引に伴う紙幣１００の入出金処理を行うものである。入出金ユニット４０は、メカ制御部４１と、接客部４２と、識別部４３と、一時保留部５０と、複数のスタッカカセット６０（＝６０−１〜６０−４）と、リジェクト庫７０とを備えている。
【００２０】
接客部４２は、顧客との入出金取引を行う部位である。接客部４２は、顧客との入出金取引での紙幣１００の受入時及び取出時に開閉するスライド式のシャッタを上部に備え、図示しないセンサによって紙幣１００が入金されたことを検知する。
【００２１】
識別部４３は、入金された各貨幣及び出金される各貨幣の真贋を判断し、且つ貨幣種類を識別する貨幣識別部である。
【００２２】
一時保留部５０は、入金処理において接客部４２に投入された紙幣１００で、且つ識別部４３により真券であると識別され、且つ紙幣種類を識別された紙幣１００を集積して一時保留する一時格納部である。本実施例１の一時保留部５０は、集積した紙幣１００を最上部に蓄え、蓄えた順番の逆順で送出する機能を有している。
【００２３】
各スタッカカセット６０（＝６０−１〜６０−４）は、出金に用いる紙幣１００及び／又は入金された紙幣１００を収納する貨幣格納部である。本実施例１では、スタッカカセット６０−１，６０−３は、１万円紙幣を収納する貨幣格納部である。スタッカカセット６０−２，６０−４は、千円紙幣を収納する貨幣格納部である。
【００２４】
リジェクト庫７０は、入金された紙幣１００を収納する貨幣格納部であり、入金された紙幣１００のうち、二千円紙幣と五千円紙幣とを収納する貨幣格納部である。
【００２５】
入金処理とは、入金取引に係る自動取引装置１０の内部処理であり、顧客が接客部４２に入れた紙幣１００を識別部４３で計数して各スタッカカセット６０（＝６０−１〜６０−４）又はリジェクト庫７０に収納することをいう。
【００２６】
出金処理とは、出金取引に係る自動取引装置１０の内部処理であり、顧客が指定した金額に相当する紙幣１００を、それぞれスタッカカセット６０（＝６０−１〜６０−４）から繰り出して計数し、接客部４２に搬送して顧客に払い出すことをいう。自動取引装置１０が接客部４２の入出金口シャッタを開くことによって、顧客は、接客部４２に対して紙幣１００を入出金可能となる。
【００２７】
（実施例１の出金取引に係る構成）
図２（ａ）〜（ｆ）は、本発明の実施例１における出金取引の画面遷移を示す図である。画面最上部には取引の概要を示す文字列が表示され、その下には取引の詳細を示す文字列や、操作ボタンや、操作ボタンによって入力された内容が表示されている。図２（ａ）〜（ｆ）に示す画面は、いずれも顧客操作表示ユニット２０に表示される。
【００２８】
図２（ａ）に示す手数料確認画面Ｗ１は、取引に伴う手数料を表示し、顧客の確認又は取消を受け付ける画面である。画面最上部には取引の概要を示す「手数料」が表示され、その下には取引の詳細を示す「ただ今の時間の手数料は１０５円です。よろしければ確認ボタンを、取引をやめるときには取消ボタンを押してください。」が表示され、その下に確認ボタンと取消ボタンとが表示されている。この画面において、「確認」ボタンをタッチすると、取引選択画面Ｗ２に遷移する。
【００２９】
図２（ｂ）に示す取引選択画面Ｗ２は、選択可能な取引に係るボタンを表示し、取引を選択する画面である。画面最上部には取引の概要を示す「取引選択」が表示され、その下には取引の詳細を示す「ご希望のお取引を押してください。」が表示されている。その下には、残高照会ボタンと、お預け入れボタンと、通帳記入ボタンと、お引き出しボタンと、宝くじ購入ボタンと、両替ボタンとが表示されている。この画面において、「お引き出し」ボタンをタッチすると、暗証番号入力画面Ｗ３に遷移する。
【００３０】
図２（ｃ）に示す暗証番号入力画面Ｗ３は、暗証番号入力に係るボタンを表示し、暗証番号を入力する画面である。画面最上部には取引の概要を示す「お引き出し」が表示され、その下には取引の詳細を示す「暗証番号をご指定ください。」が表示されている。その下には、０〜９の数字キーで構成されているテンキーと、訂正ボタンと、取消ボタンとが表示されている。この画面において、テンキーを用いて暗証番号を入力すると、金額入力画面Ｗ４に遷移する。
【００３１】
図２（ｄ）に示す金額入力画面Ｗ４は、金額入力に係るボタンを表示し、出金金額を入力する画面である。画面最上部には取引の概要を示す「お引き出し」が表示され、その下には取引の詳細を示す「出金金額をご指定ください。」が表示されている。その下には、テンキーと、千ボタンと、万ボタンと、訂正ボタンと、取消ボタンとが表示されている。この画面において、テンキーと千ボタンと万ボタンとを用いて出金金額を入力すると、図示しない搬送中画面に遷移する。
【００３２】
図２（ｅ）に示すカード受取画面Ｗ５は、顧客にカードの受け取りを促す画面である。画面最上部には取引の概要を示す「お引き出し」が表示され、その下には取引の詳細を示す「カードをお受け取りください。」が表示されている。その下には、カードが排出口から排出されているイラストが表示されている。この画面が表示されている状態においてカードを受け取ると、現金受取画面Ｗ６に遷移する。
【００３３】
図２（ｆ）に示す現金受取画面Ｗ６は、現金の受け取りを促す画面である。画面最上部には取引の概要を示す「お引き出し」が表示され、その下には取引の詳細を示す「現金をお受け取りください。」が表示されている。その下には、接客部４２のカバーが開いて、現金が顧客によって取り出し可能になっているイラストが表示されている。この画面が表示されている状態において、現金を受け取ると、出金取引は終了する。
【００３４】
図３（ａ）〜（ｃ）は、図１の入出金ユニットにおける出金取引時の紙幣搬送路を示す図である。図３（ａ）の左側は入出金ユニット４０の手前側であり、図の右側は入出金ユニット４０の奥側である。図３（ｂ）はスタッカカセット６０の横断面による概略の構成図であり、図３（ｃ）はスタッカカセット６０の縦断面による概略の構成図である。
【００３５】
図３（ａ）に示すように、接客部４２は、入出金ユニット４０の上部奥側に配設されている。識別部４３は、入出金ユニット４０の上部中央に配設されている。一時保留部５０は、入出金ユニット４０の上部手前側に配置されている。各スタッカカセット６０（＝６０−１〜６０−４）は、入出金ユニット４０の下部奥側から順に４台配設され、リジェクト庫７０は、スタッカカセット６０−４と一時保留部５０との間に配設されている。なお、リジェクト庫７０は、この位置以外に配設されていても良く、例えば、入出金ユニット４０の下部に配設されていても良い。
【００３６】
接客部４２は、内部に紙幣入金室４２ａと、紙幣集積室４２ｂとを有している。紙幣入金室４２ａは、顧客が入金する紙幣１００の投入を受け付ける部位であり、投入された紙幣１００を１枚ずつ分離して繰出す分離機構を有している。更に、紙幣集積室４２ｂは、顧客に出金する紙幣１００や顧客が入金しようとした紙幣１００のうち後述する鑑別部で入金不可と鑑別された入金リジェクト紙幣や後述する一時保留部５０に一旦集積された後顧客に返却する紙幣を集積する集積機構を有する部位である。
【００３７】
紙幣入金室４２ａと紙幣集積室４２ｂとは、可倒式の仕切板４２ｃで仕切られている。この仕切板４２ｃを倒すことにより、紙幣集積室４２ｂに集積された紙幣１００を紙幣入金室４２ａへ移動させることができるようになっている。
【００３８】
識別部４３は、搬送された紙幣１００の真偽、正損、金種等の鑑別、連鎖、斜行等の搬送異常等の検出、及び計数等を行う。
【００３９】
一時保留部５０は、識別部４３で入金可能な真券と鑑別された紙幣１００を一時保留する紙幣収納部であり、入金可能と鑑別された紙幣１００を集積するとともに集積された紙幣１００を１枚ずつ分離して繰出す分離集積機構を有している。
【００４０】
各スタッカカセット６０（＝６０−１〜６０−４）は、紙幣１００を収納する紙幣収納部であり、一時保留部５０と同様な分離集積機構を有している。スタッカカセット６０（＝６０−１〜６０−４）は、紙幣１００を金種別に収納する紙幣収納部である。スタッカカセット６０（＝６０−１〜６０−４）は、機体の下部側に前後方向に並べて配置されている。スタッカカセット６０（＝６０−１〜６０−４）は、図３（ｂ），（ｃ）に示すように、入金された紙幣１００を収納すると共に出金処理時には収納された紙幣１００を１枚ずつ分離して繰出すことができるよう構成されている。
【００４１】
リジェクト庫７０は、二千円紙幣と五千円紙幣とを収納する紙幣収納部であり、各スタッカカセット６０（＝６０−１〜６０−４）や一時保留部５０と同様な分離集積機構を有している。本実施例１のリジェクト庫７０は、スタッカカセット６０（＝６０−１〜６０−４）に比べて上下方向の長さが短いものとなっており、スタッカカセット６０（＝６０−１〜６０−４）の上側に配設されている。しかし、これに限定されず、リジェクト庫７０は、スタッカカセット６０と同等の長さや、同等以上の長さを有していても良い。
【００４２】
紙幣搬送路Ｆ０１は、スタッカカセット６０（＝６０−１〜６０−４）から識別部４３へ紙幣１００を挟持搬送する搬送路である。紙幣搬送路Ｆ０２は、識別部４３から接客部４２へ紙幣１００を挟持搬送する搬送路である。
【００４３】
センサ６６（＝６６−１〜６６−４）は、紙幣検知センサであり、スタッカカセット６０（＝６０−１〜６０−４）から紙幣搬送路Ｆ０１への紙幣１００の通路を挟んで、発光部と受光部が対向配置された光学式センサ等である。
【００４４】
センサ７６は、同様にリジェクト庫７０から紙幣搬送路Ｆ０１への紙幣１００の通路を挟んで、発光部と受光部が対向配置された光学式センサ等である。
【００４５】
同様にセンサ４５は、紙幣搬送路Ｆ０１を介して識別部４３への紙幣１００の通路及び識別部４３から紙幣搬送路Ｆ０２への紙幣１００の通路を挟んで、発光部と受光部とが対向配置された光学式センサ等である。
【００４６】
同様にセンサ４４は、紙幣搬送路Ｆ０２を介して接客部４２への紙幣１００の通路を挟んで、発光部と受光部が対向配置された光学式センサ等である。
【００４７】
同様にセンサ５６は、一時保留部５０への紙幣１００の通路を挟んで、発光部と受光部が対向配置された光学式センサ等である。
【００４８】
接客部４２への入出金は、センサ４４によって検出される。識別部４３への入出金は、センサ４５によって検出される。一時保留部５０への入出金は、センサ５６によって検出される。各スタッカカセット６０（＝６０−１〜６０−４）への入出金は、それぞれセンサ６６（＝６６−１〜６６−４）によって検出される。
【００４９】
紙幣搬送路Ｆ０１は、リジェクト庫７０及びスタッカカセット６０が最も上流側である。紙幣搬送路Ｆ０１は、リジェクト庫７０の紙幣１００がセンサ７６を介して下流側に搬送され、各スタッカカセット６０（＝６０−１〜６０−４）の紙幣１００がセンサ６６（＝６６−１〜６６−４）を介してそれぞれ下流側に搬送されるよう構成されている。更に、紙幣搬送路Ｆ０１は、紙幣１００がセンサ４５を介して識別部４３に搬送されるように構成されている。
【００５０】
紙幣搬送路Ｆ０２は、識別部４３が最も上流側であり、センサ４４を介して接客部４２に紙幣１００を搬送するよう、図示しない搬送機構によって構成されている。
【００５１】
図３（ｂ），（ｃ）に示すように、スタッカカセット６０は、フィードローラ６５と、リバースローラ６４と、羽根車６３と、ステージ６２と、カセットフルセンサ６７と、上面検知センサ６８と、ビルストッパ６１と、紙幣ガイド６９とを有している。尚、一時保留部５０及びリジェクト庫７０も同様の構成を有している。
【００５２】
フィードローラ６５は、紙幣出入口に２個並行に設けられ、入金時は搬送された紙幣１００をスタッカカセット６０の内部に送り込み、出金時は収納されている紙幣１００を紙幣搬送路Ｆ０１へ送り出す。
【００５３】
リバースローラ６４は、２個のフィードローラ６５に対向し、圧接するように配置されている。このリバースローラ６４は図示しないワンウェイクラッチを備え、図３（ｂ）における反時計方向のみ回転可能に構成されている。
【００５４】
フィードローラ６５及びリバースローラ６４は、スタッカカセット６０の紙幣出入口を構成し、フィードローラ６５を図３（ｂ）における時計方向、リバースローラ６４を図３（ｂ）における反時計方向に回転させて紙幣搬送路Ｆ０１を介して搬送された紙幣１００をスタッカカセット６０の内部に送り込む。
【００５５】
ステージ６２は、スタッカカセット６０の内部に設けられ、紙幣１００を集積する底板を構成する。このステージ６２は図示しない駆動部及び機構により昇降可能に構成され、入金時はステージ６２を下降させて紙幣１００を集積するための空間を形成し、フィードローラ６５及びリバースローラ６４により送り込まれた紙幣１００を集積する。一方、出金時はステージ６２を上昇させて集積されている紙幣１００を図示しない繰出しローラに当接させ、その繰出しローラを回転させて紙幣１００を１枚ずつ繰出し、紙幣出入口及び紙幣搬送路Ｆ０１へ送出可能に構成されている。
【００５６】
ステージ６２はステッピングモータ等の移動量が制御できる駆動部で構成され、ステージ移動手段としての制御部１１により予め図示しない記憶部に記憶されたステージ６２の位置情報に基づいて昇降させることができ、ステージ６２上に集積されている紙幣１００を図示しない繰出しローラや、後述する紙幣ガイド６９に当接させてその紙幣１００の膨らみをつぶすための紙幣押圧位置や、ステージ６２上にフィードローラ６５で送り出された紙幣１００を集積するための空間を形成する集積準備位置等へ移動可能に構成されている。
【００５７】
本実施例１では、ステージ６２の位置情報である紙幣押圧位置情報及び集積準備位置情報が予め図示しない記憶部に記憶されているものとする。
【００５８】
上面検知センサ６８は、ステージ６２上に集積された紙幣１００の上面を検知するための光学式センサ等である。この上面検知センサ６８は、紙幣１００の存在を検知（オン）するとフィードローラ６５及びリバースローラ６４により送り込まれた紙幣１００を集積する空間がないことを検知することができ、一方紙幣１００が存在しないことを検知（オフ）するとフィードローラ６５及びリバースローラ６４により送り込まれた紙幣１００を集積する空間が形成されていることを検知可能に構成されている。
【００５９】
２個の羽根車６３は、天然ゴムや合成ゴム等の弾性材料で形成された羽根、及びその一端を固着し、図示しないモータ等の駆動手段により回転自在なハブ部で構成されている。なお、羽根は一端がハブ部に固着され他端が自由端になっており、一又は複数で構成され、例えば８本の羽根がハブ部の円周上に等間隔で配置されている。
【００６０】
これら羽根車６３は、入金時に図示しない回動自在なアームによりリバースローラ６４の回転軸と略同軸に位置するように構成され、フィードローラ６５及びリバースローラ６４でスタッカカセット６０の内部に送り込まれた紙幣１００の後端部を図３（ｂ）における反時計方向に回転する羽根車６３の羽根の自由端で叩き落すこと可能なよう構成されている。
【００６１】
図３（ｂ）における反時計方向に回転する羽根車６３の羽根は、スタッカカセット６０の内部に送り込まれた紙幣１００の後端部を叩き落すだけでなく、上述した紙幣押圧位置から集積準備位置までの間にあるステージ６２上に集積されている紙幣１００に当接し、その紙幣１００が変形していたとしても、その紙幣１００を膨らませることなく羽根車６３側に引き寄せることが可能なように構成されている。羽根車６３は、出金時に図示しない回動自在なアームによりリバースローラ６４の回転軸から退避するように構成されている。
【００６２】
ここで、羽根車６３の羽根は、回転軸を回転させたとき羽根の先端部がステージ６２に集積された紙幣１００の紙幣出入口方向の端部に接触するに充分な長さを有している。更に、羽根車６３を退避させたとき羽根は、ステージ６２に集積された紙幣１００に接触することなくフィードローラ６５ならびにリバースローラ６４等による繰出しの動作を妨げることはない。
【００６３】
ビルストッパ６１は、フィードローラ６５及びリバースローラ６４で送り込まれた紙幣１００の先端を受け止めるためのものである。このビルストッパ６１はスタッカカセット６０の側壁に設けられ、図３（ｂ）における矢印Ａが示す方向に付勢されおり、紙幣１００が衝突したとき図３（ｂ）における矢印Ｂが示す方向に移動可能になっている。更に、紙幣１００が衝突する面は衝突時に紙幣１００が滑らないように凹凸部が設けられている。
【００６４】
カセットフルセンサ６７は、ステージ６２がスタッカカセット６０内の最下位置に存在することを検知するための光学式センサ等である。このカセットフルセンサ６７でステージ６２がスタッカカセット６０内の最下位置に存在することを検知し、且つ上面検知センサ６８で紙幣１００の存在を検知した場合、スタッカカセット６０に集積された紙幣１００が満杯であると判定する。
【００６５】
紙幣ガイド６９は、スタッカカセット６０の天井面を形成する部材である。この紙幣ガイド６９は、ステージ６２を上昇させてステージ６２上に集積された紙幣１００の上面を当接させることで、その紙幣１００の膨らみを押しつぶすことができるようになっている。
【００６６】
（実施例１の出金取引に係る動作）
図４は、本発明の実施例１における出金取引のタイムチャートである。
【００６７】
タイミングＴ１のカード挿入において、自動取引装置１０にカードが挿入されると、カードリーダユニット３０はカードを受け付けるカード読み取り処理を行う。顧客操作表示ユニット２０は、図示しない初期画面から、手数料確認画面Ｗ１に遷移する。制御部１１は、入出金ユニット４０に省エネ状態の復帰を指示し、メカ制御部４１と識別部４３とは、省電力モード解除処理である省エネ復帰処理を行う。ここで省エネ復帰処理とは、入出金ユニット４０を制御する回路の初期化及び入出金ユニット４０に搭載されたセンサによる状態の検知である。メカ制御部４１は、省エネ復帰処理が完了すると、入出金ユニット４０を制御する機構部の位置の初期化を行う。例えば、スタッカカセット６０の出金ポジション調整である。メカ制御部４１と、識別部４３と、スタッカカセット６０とは、省エネ復帰処理が終了すると、タイミングＴ６の取引実行まで待機する。
【００６８】
タイミングＴ２の手数料確認において、顧客操作表示ユニット２０は、手数料確認画面Ｗ１を表示し、確認ボタンが押されるとタイミングＴ３に遷移する。
【００６９】
タイミングＴ３の取引選択において、顧客操作表示ユニット２０は、取引選択画面Ｗ２を表示する取引選択処理を行い、引き出しボタンが押されるとタイミングＴ４に遷移する。
【００７０】
タイミングＴ４の取引情報入力において、顧客操作表示ユニット２０は、暗証番号入力画面Ｗ３を表示し、暗証番号を受け付けたのち、金額入力画面Ｗ４を表示し、金額入力を受け付ける取引情報入力処理を行う。
【００７１】
タイミングＴ６の取引実行において、顧客操作表示ユニット２０は、図示しない搬送中画面を表示する。図４に示すタイムチャートでは、１万円紙幣用スタッカカセット６０−１は、指定された出金金額に応じて１万円紙幣を送出したのちに省エネ状態となる。その後に、千円紙幣用スタッカカセット６０−２は、指定された出金金額に応じて千円紙幣を送出したのちに省エネ状態となる。識別部４３は、タイミングＴ６において、送出された全ての紙幣１００を識別したのちに省エネ状態となる。接客部４２は、送出されてきた紙幣１００を格納する。
【００７２】
タイミングＴ７のカード排出において、自動取引装置１０はカードを排出し、顧客操作表示ユニット２０は、カード受取画面Ｗ５を表示する。メカ制御部４１と接客部４２とは、待機状態となる。カードが受け取られたことが検知されると、タイミングＴ８に遷移する。
【００７３】
タイミングＴ８の現金受取において、自動取引装置１０は、接客部４２のカバーを開いて紙幣１００を取出可能とし、顧客操作表示ユニット２０は、現金受取画面Ｗ６を表示する入出金処理を行う。メカ制御部４１と接客部４２とは、接客部４２のカバーを開いたのちに、紙幣１００が取り出されたことを検知したならば接客部４２のカバーを閉じ、タイミングＴ９に遷移する。タイミングＴ９の待機状態において、入出金ユニット４０は全て省エネ状態となる。
【００７４】
図５は、本発明の実施例１における取引選択の動作を示すフローチャートである。
処理が開始すると、ステップＳ１において、制御部１１は、カードリーダユニット３０がカードを読み取ったか否かを判定する。ステップＳ２において、制御部１１は、入出金ユニット４０に対して、メカ制御部４１と識別部４３の省エネ復帰を指示する。
【００７５】
メカ制御部４１は、この指示によって省エネ復帰処理を行い、スタッカカセット６０の出金ポジション出し処理を行ったのちに待機状態となる。識別部４３は、この指示によって省エネ復帰処理を行ったのちに待機状態となる。
【００７６】
ステップＳ３において、制御部１１は、顧客操作表示ユニット２０に手数料確認画面Ｗ１を表示するよう指示する。ステップＳ４において、ボタンが押されるまで待ち、確認ボタンが押されたならばステップＳ５の処理を行い、取消ボタンが押されたならばステップＳ７の処理を行う。ステップＳ７において、制御部１１は、入出金ユニット４０に対して、メカ制御部４１と識別部４３の省エネモードへの移行を指示し、図５の処理を終了する。
【００７７】
ステップＳ５において、制御部１１は、顧客操作表示ユニット２０に取引選択画面Ｗ２を表示するよう指示する。ステップＳ６において、ボタンが押されるまで待ち、お引き出しボタンが押されたならば出金処理を選択して、後述する図６に示す端子Ａの処理を行う。お預け入れボタンが押されたならば入金処理を選択して、後述する図１２に示す端子Ｂの処理を行う。それ以外のボタンが押されたならば、入出金以外の処理を選択してステップＳ８の処理を行う。ステップＳ８において、制御部１１は、入出金ユニット４０に対して、メカ制御部４１と識別部４３の省エネを指示し、ステップＳ９において指定された処理を実行し、図５の処理を終了する。
【００７８】
図６は、本発明の実施例１における出金取引の動作を示すフローチャートであり、図５の端子Ａの処理である。
【００７９】
ステップＳ１２において、制御部１１は、顧客操作表示ユニット２０に暗証番号入力画面Ｗ３を表示するよう指示し、ステップＳ１３において、暗証番号が入力されるまで待つ。
【００８０】
ステップＳ１４において、制御部１１は、顧客操作表示ユニット２０に金額入力画面Ｗ４を表示するよう指示し、ステップＳ１５において、出金金額が入力されるまで待つ。
【００８１】
ステップＳ１６において、制御部１１は、ホストコンピュータ９０と通信し、ステップＳ１７において取引が成立するか否かを判断する。取引が成立しないならば、ステップＳ３０において、「お取り扱いできません」等を表示し、以降は異常終了処理を行う。
【００８２】
ステップＳ１８において、制御部１１は、入出金ユニット４０の省エネ復帰処理が完了するまで待つ。省エネ復帰処理に時間が掛かったとしても、取引選択及び取引情報入力と並行して動作しているので、ステップＳ１８の時点で、省エネ復帰処理は既に完了していることが多い。
【００８３】
ステップＳ１９において、入出金ユニット４０へ紙幣１００の識別搬送を指示し、ステップＳ２０において搬送が完了するまで待ち、ステップＳ２１において、入出金ユニット４０に省エネモードへの移行処理を指示する。
【００８４】
ステップＳ２２において、制御部１１は、カードリーダユニット３０にカードの排出を指示し、ステップＳ２３において、顧客操作表示ユニット２０にカード受取画面Ｗ５を表示するよう指示し、ステップＳ２４において、カードが受け取られるまで待つ。
【００８５】
ステップＳ２５において、制御部１１は、接客部４２にシャッタを開くよう指示し、ステップＳ２６において、顧客操作表示ユニット２０に現金受取画面Ｗ６を表示するよう指示する。ステップＳ２７において、現金が受け取られるまで待ち、ステップＳ２８において、接客部４２にシャッタを閉じるよう指示する。
【００８６】
ステップＳ２９において、メカ制御部４１に省エネモードへの移行を指示して、図６の処理を終了する。
【００８７】
図７は、図６の入出金ユニットの紙幣搬送動作を示すフローチャートである。
処理が開始すると、ステップＳ３１において、メカ制御部４１は、出金金額から、出金する１万円紙幣の枚数Ｘを算出する出金枚数算出処理を行う。
【００８８】
ステップＳ３２において、メカ制御部４１は、出金金額から出金する千円紙幣の枚数Ｙを算出する出金枚数算出処理を行う。
【００８９】
ステップＳ３３において、メカ制御部４１は、枚数Ｘと枚数Ｙとを比較する。枚数Ｘは枚数Ｙ以下であったならば、ステップＳ３４の処理を行い、枚数Ｘは枚数Ｙ以下でなかったならば、ステップＳ３８の処理を行う。
【００９０】
ステップＳ３４において、メカ制御部４１は、Ｘ枚の１万円紙幣を接客部４２に搬送する貨幣搬送処理を行い、ステップＳ３５において、１万円紙幣が格納されたスタッカカセット６０−１を省エネ状態とする駆動停止処理を行う。
【００９１】
ステップＳ３６において、メカ制御部４１は、Ｙ枚の千円紙幣を接客部４２に搬送する貨幣搬送処理を行い、ステップＳ３７において、千円紙幣が格納されたスタッカカセット６０−２を省エネ状態とする駆動停止処理を行い、図７の処理を終了する。
【００９２】
ステップＳ３８において、メカ制御部４１は、Ｙ枚の千円紙幣を接客部４２に搬送する貨幣搬送処理を行い、ステップＳ３９において、千円紙幣が格納されたスタッカカセット６０−２を省エネ状態とする駆動停止処理を行う。
【００９３】
ステップＳ４０において、メカ制御部４１は、Ｘ枚の１万円紙幣を接客部４２に搬送する貨幣搬送処理を行い、ステップＳ４１において、１万円紙幣が格納されたスタッカカセット６０−１を省エネ状態とする駆動停止処理を行い、図７の処理を終了する。
【００９４】
千円札の出金枚数Ｙと、１万円札の出金枚数Ｘとを比べて、出金枚数の少ないスタッカカセット６０から先に接客部４２に搬送することにより、出金枚数の少ない紙幣１００の種類に対応したスタッカカセット６０を、更に早く省エネ状態に設定できる。
【００９５】
（実施例１の入金取引に係る構成）
図８（ａ），（ｂ）は、本発明の実施例１における入金取引の画面遷移を示す図である。
【００９６】
図８（ａ）に示す入金画面Ｗ７は、顧客に接客部４２への入金を促す画面である。画面最上部には取引の概要を示す「お預け入れ」が表示され、その下には取引の詳細を示す「現金をお入れください」が表示され、その下に現金を接客部４２に投入しているイラストが表示されている。この画面において、現金を接客部４２に投入すると、図示しない搬送中画面に遷移する。
【００９７】
図８（ｂ）に示す金額確認画面Ｗ８は、入金された金額を確認する画面である。画面最上部には取引の概要を示す「お預け入れ」が表示され、その下には取引の詳細を示す「現金は２万円です。」が表示され、その下に確認ボタンと取消ボタンとが表示されている。この画面において、確認ボタンをタッチすると、図示しない搬送中画面に遷移し、取消ボタンをタッチすると、図示しない取消処理画面に遷移する。
【００９８】
図９は、図１の入出金ユニットにおける入金取引時の紙幣搬送路を示す図であり、出金取引時を示す図３（ａ）中の要素と共通の要素には共通の符号が付されている。
【００９９】
接客部４２と、一時保留部５０と、複数のスタッカカセット６０（＝６０−１〜６０−４）と、リジェクト庫７０とは、出金処理の場合と同様の位置に配設されている。
【０１００】
紙幣搬送路Ｆ１１は、接客部４２が最も上流側である。紙幣搬送路Ｆ１１は、センサ４４を介して下流側である識別部４３に搬送される。識別部４３に搬送された紙幣１００は、搬送された紙幣１００の真偽、正損、金種等の鑑別、連鎖、斜行等の搬送異常等の検出、及び計数等を行う。取込処理可能と識別された紙幣１００は、識別された順番に、紙幣搬送路Ｆ１２に搬送され、一時保留部５０に集積される。
【０１０１】
一時保留部５０に集積された紙幣１００は、金額確認画面Ｗ８によって確認ボタンが押されたならば、集積順番の逆順で一時保留部５０から送出され、紙幣搬送路Ｆ１３を介して再び識別部４３に搬送される。識別部４３に搬送された紙幣１００は、再び真偽、正損、金種等の鑑別、連鎖、斜行等の搬送異常等の検出、及び計数等が行われる。この紙幣１００は、紙幣搬送路Ｆ１４によって、この紙幣種類に応じた各スタッカカセット６０（＝６０−１〜６０−４）又はリジェクト庫７０に搬送される。
【０１０２】
（実施例１の入金取引に係る動作）
図１０は、本発明の実施例１における入金取引のタイムチャートを示す図であり、出金取引を示す図４中の要素と共通の要素には共通の符号が付されている。
【０１０３】
タイミングＴ１〜Ｔ３の処理は、図４に示す出金取引の場合と同様である。
タイミングＴ４Ａの取引情報入力において、顧客操作表示ユニット２０は、暗証番号入力画面Ｗ３を表示する。暗証番号が入力されると、タイミングＴ５に遷移する。
【０１０４】
タイミングＴ５の入金において、顧客操作表示ユニット２０は入金画面Ｗ７を表示する。自動取引装置１０の接客部４２は、入金が行われたことを検知すると、タイミングＴ６Ａに遷移する。
【０１０５】
タイミングＴ６Ａの取引実行において、顧客操作表示ユニット２０は、図示しない搬送中画面を表示する。このとき、入出金ユニット４０の接客部４２は紙幣１００の送出を行い、識別部４３は紙幣１００の識別を行い、一時保留部５０は紙幣１００の格納を行い、メカ制御部４１はこれら紙幣１００の搬送に係る全体制御を行う。
【０１０６】
その後、顧客操作表示ユニット２０は、金額確認画面Ｗ８を表示する。このとき、入出金ユニット４０の接客部４２は省エネ状態となり、識別部４３と一時保留部５０とメカ制御部４１とは、待機状態となる。
【０１０７】
その後、顧客操作表示ユニット２０は、ふたたび図示しない搬送中画面を表示する。このとき、入出金ユニット４０の一時保留部５０は、紙幣１００の送出を行い、識別部４３は、紙幣１００の識別を行い、スタッカカセット６０及びリジェクト庫７０は紙幣１００の格納を行い、メカ制御部４１はこれらに係る全体制御を行う。
タイミングＴ７，Ｔ９の処理は、図４に示す出金取引の場合と同様である。
【０１０８】
図１１は、入金取引において１万６千円が投入された例のタイムチャートである。
【０１０９】
タイミングＴ５の入金においては、図１０の処理と同様である。
タイミングＴ６Ａの取引実行において、顧客操作表示ユニット２０は、図示しない搬送中画面を表示する。このとき、入出金ユニット４０の接客部４２は紙幣１００の送出を行う、このとき、接客部４２から、千円紙幣、１万円紙幣、５千円紙幣の順で送出されたものとする。
【０１１０】
接客部４２から千円紙幣が送出されると、識別部４３は紙幣１００の識別を行い、一時保留部５０は千円紙幣の格納を行う。次に、接客部４２から１万円紙幣が送出されると、識別部４３は紙幣１００の識別を行い、一時保留部５０は１万円紙幣の格納を行う。次に、接客部４２から５千円紙幣が送出されると、識別部４３は紙幣１００の識別を行い、一時保留部５０は５千円紙幣の格納を行う。
【０１１１】
その後、顧客操作表示ユニット２０は、金額確認画面Ｗ８を表示する。このとき、入出金ユニット４０の接客部４２は省エネ状態となり、識別部４３と一時保留部５０とメカ制御部４１とは、待機状態となる。
【０１１２】
その後、顧客操作表示ユニット２０は、ふたたび図示しない搬送中画面を表示する。このとき、入出金ユニット４０の一時保留部５０は格納時の逆順に紙幣１００の送出を行うので、５千円紙幣、１万円紙幣、千円紙幣の順で送出される。
【０１１３】
一時保留部５０から５千円紙幣が送出されると、識別部４３は紙幣１００の識別を行い、リジェクト庫７０に格納する。一時保留部５０から１万円紙幣が送出されると、識別部４３は紙幣１００の識別を行い、１万円紙幣用スタッカカセット６０−１に格納する。一時保留部５０から千円紙幣が送出されると、識別部４３は紙幣１００の識別を行い、千円紙幣用スタッカカセット６０−２に格納する。メカ制御部４１はこれらに係る全体制御を行う。
タイミングＴ７，Ｔ９の処理は、図４に示す出金取引の場合と同様である。
【０１１４】
図１２は、本発明の実施例１における入金取引の動作を示すフローチャートであり、図５の端子Ｂの処理である。出金取引を示す図６中の要素と共通の要素には共通の符号が付されている。
【０１１５】
処理が開始したのち、ステップＳ１１において、制御部１１は、入出金ユニット４０のメカ制御部４１に、スタッカカセット６０の出金ポジション出しを停止するように指示する。メカ制御部４１は、スタッカカセット６０の出金ポジション出しを停止すると共に、各スタッカカセット６０を省エネ状態とする。これにより、入金処理には不要な動作をいち早く停止し、更に緻密に省エネ効果を得ることが可能である。
【０１１６】
ステップＳ１２，Ｓ１３の処理は、図６に示す出金取引のときの処理と同様である。ステップＳ５１において、制御部１１は、入出金ユニット４０の省エネモードからの復帰が完了するまで待つ。
【０１１７】
ステップＳ５２において、制御部１１は、顧客操作表示ユニット２０に入金画面Ｗ７を表示するよう指示し、ステップＳ５３において入金が完了するまで待つ。
【０１１８】
ステップＳ５４において、入出金ユニット４０へ紙幣１００の一時保留を指示し、ステップＳ５５において、顧客操作表示ユニット２０に金額確認画面Ｗ８を表示する。ステップＳ５６において、確認ボタンが押され金額ＯＫであった場合には、ステップＳ１６の処理を行うが、取消ボタンが押され金額ＯＫでなかった場合には、ステップＳ５７において識別部４３へ省エネ指示し、取消処理を行う。
【０１１９】
ステップＳ１６，Ｓ１７，Ｓ３０の処理は、図６に示す出金取引の場合と同様である。
ステップＳ１９Ａにおいて、制御部１１は、入出金ユニット４０へ紙幣１００の識別搬送を指示し、ステップＳ２０において搬送が完了するまで待つ。
【０１２０】
ステップＳ２１Ａにおいて、制御部１１は、入出金ユニット４０のメカ制御部４１と識別部４３へ省エネモードへの遷移を指示する。
【０１２１】
ステップＳ２２〜Ｓ２４の処理は、図６に示す出金取引の場合と同様である。ステップＳ２４の処理が完了すると、図１２の処理を終了する。
【０１２２】
図１３は、図１２の入出金ユニットによる一時保留部への保留動作を示すフローチャートである。
【０１２３】
処理が開始すると、ステップＳ６１において、メカ制御部４１は、接客部４２に紙幣１００が残っているか否かを判断し、残っていなければ図１３の処理を完了する。
【０１２４】
ステップＳ６２において、メカ制御部４１は、接客部４２に紙幣１００の送出を指示し、ステップＳ６３において１枚の紙幣１００が接客部４２から送出されるまで待ち、ステップＳ６４において接客部４２に紙幣１００の送出停止を指示する。
【０１２５】
ステップＳ６５において、識別部４３は、紙幣１００が真券であるか否か、及びいずれの紙幣種類であるかを識別し、ステップＳ６６において紙幣１００の種類を順番に記憶する貨幣種類記憶処理を行う。
【０１２６】
ステップＳ６７において、メカ制御部４１は、紙幣１００を識別部４３から一時保留部５０へ搬送する貨幣格納処理を行うよう指示する。ステップＳ６８において、紙幣１００が一時保留部５０に格納されるまで待ち、ステップＳ６９において一時保留部５０に駆動停止を指示し、ステップＳ６１の処理に戻る。
【０１２７】
図１４は、図１２の入出金ユニットによるスタッカカセットへの格納動作を示すフローチャートである。
【０１２８】
処理が開始すると、ステップＳ７１において、メカ制御部４１は、一時保留部５０に紙幣１００が残っているか否かを判断し、残っていなければ図１４の処理を完了する。
【０１２９】
ステップＳ７２において、メカ制御部４１は、一時保留部５０に紙幣１００の送出を指示し、ステップＳ７３において１枚の紙幣１００が一時保留部５０から送出されるまで待ち、ステップＳ７４において一時保留部５０に紙幣１００の送出停止を指示する。
【０１３０】
ステップＳ７５において、メカ制御部４１は、この紙幣１００の種類に対応したスタッカカセット６０があれば、予め駆動させる駆動処理を行う。紙幣種類は、図１３のステップＳ６６で記録された情報と、一時保留部５０からの紙幣１００の送出順番とに基づいて決定する。
【０１３１】
ステップＳ７６において、識別部４３は、紙幣１００が真券であるか否か及びいずれの紙幣種類であるかを識別する。
【０１３２】
ステップＳ７７において、メカ制御部４１は、この紙幣１００を、この紙幣１００の種類に対応したスタッカカセット６０又はリジェクト庫７０に搬送する。ステップＳ７８において、スタッカカセット６０又はリジェクト庫７０に紙幣１００が格納されるまで待つ。
【０１３３】
ステップＳ７９において、当該種類の紙幣１００は、他にも一時保留部５０に格納されているかを判断する。当該種類の紙幣１００が格納されていたならばステップＳ７１の処理に戻る。
【０１３４】
当該種類の紙幣１００は格納されていないならば、ステップＳ８０において、この紙幣１００の種類に対応したスタッカカセット６０の駆動を停止させたのち、ステップＳ７１の処理に戻る。
【０１３５】
これにより、紙幣１００を、一時保留部５０からスタッカカセット６０及びリジェクト庫７０に搬送するとき、この紙幣１００の搬送を開始するまで、この紙幣１００の紙幣種類に対応したスタッカカセット６０を省エネモードとすることができる。
【０１３６】
紙幣種類は、図１３のステップＳ６６で記録された情報と、一時保留部５０からの紙幣１００の送出順番とに基づいて決定する。よって、識別部４３で紙幣１００の紙幣種類を識別するよりも早く、スタッカカセット６０やリジェクト庫７０を駆動することができ、早く確実に紙幣１００を格納することが可能である。
【０１３７】
更に、紙幣１００をスタッカカセット６０に搬送したのちに、当該種類の紙幣１００は、他にも一時保留部５０に格納されているかを判断する。当該種類の紙幣１００は格納されていないならば、この紙幣１００の種類に対応したスタッカカセット６０やリジェクト庫７０の駆動を停止するので、更に緻密に省エネ効果を得ることが可能である。
【０１３８】
（実施例１の効果）
本実施例１の自動取引装置１０及びその省電力方法によれば、次の（Ａ）〜（Ｅ）のような効果がある。
【０１３９】
（Ａ）  カード投入を検知することによって、入出金ユニット４０の省電力モードの解除を開始するように構成した。これにより、入出金ユニット４０の省電力モードの解除は、取引選択及び取引情報入力と並行して動作するので、入出金ユニット４０が紙幣１００の識別搬送を行うまでに完了することが多く、取引時間に影響しないという効果を奏する。
【０１４０】
（Ｂ）  出金処理において、千円札の出金枚数Ｙと、１万円札の出金枚数Ｘとを比べて、枚数の少ない方から先に接客部４２に搬送する。これにより、枚数の少ない紙幣１００の種類に対応したスタッカカセット６０を、更に早く省エネ状態に設定できる効果を奏する。
【０１４１】
（Ｃ）  入金処理において、一時保留部５０に格納するまえに識別して記録した情報と、一時保留部５０からの紙幣１００の送出順番とに基づいて、スタッカカセット６０やリジェクト庫７０を予め駆動するよう構成した。よって、識別部４３で紙幣１００の紙幣種類を識別するよりも早く、スタッカカセット６０やリジェクト庫７０を駆動することができ、早く確実に紙幣１００を格納することが可能という効果を奏する。
【０１４２】
（Ｄ）  紙幣１００をスタッカカセット６０に搬送したのちに、当該種類の紙幣１００は、他にも一時保留部５０に格納されているかを判断する。当該種類の紙幣１００は格納されていないならば、この紙幣１００の種類に対応したスタッカカセット６０やリジェクト庫７０の駆動を停止するので、更に緻密に省エネ効果を得ることが可能という効果を奏する。
【０１４３】
（Ｅ）  入金取引が選択されたとき、スタッカカセット６０の出金ポジション出しを停止し、各スタッカカセット６０を省エネ状態とした。これにより、入金処理には不要な動作をいち早く停止し、更に緻密に省エネ効果を得ることが可能という効果を奏する。
【実施例２】
【０１４４】
（実施例２の構成）
本実施例２の自動取引装置１０Ａは、図１に示す実施例１の自動取引装置１０とは異なる入出金ユニット４０Ａを有している他は、実施例１の自動取引装置１０と同様の構成を有している。
【０１４５】
本実施例２の入出金ユニット４０Ａは、実施例１の入出金ユニット４０とは異なる一時保留部５０Ａを有している他は、実施例１の入出金ユニット４０と同様の構成を有している。
【０１４６】
本実施例２の一時保留部５０Ａは、実施例１の一時保留部５０とは異なり、集積した紙幣１００を蓄えた順番とは関係しない順番で送出する機能を有している。
【０１４７】
（実施例２の動作）
図１５は、本発明の実施例２における入出金ユニットによるスタッカカセットへの格納動作を示すフローチャートであり、実施例１を示す図１４中の要素と共通の要素には共通の符号が付されている。
【０１４８】
処理が開始すると、ステップＳ９０において、メカ制御部４１は、一時保留部５０Ａが有している紙幣１００の種類に対応したスタッカカセット６０のみを予め駆動する駆動処理を行う。
【０１４９】
その後、ステップＳ７１〜Ｓ７４の処理は、実施例１と同様であり、ステップＳ７４の処理が終了したのち、ステップＳ７６の処理を行う。
その後、ステップＳ７６〜Ｓ８０の処理は、実施例１と同様である。
【０１５０】
（実施例２の効果）
本実施例２の自動取引装置１０Ａ及びその省電力方法によれば、次の（Ｆ）のような効果がある。
【０１５１】
（Ｆ）  送出順番が規定されていない一時保留部５０Ａを有している自動取引装置１０Ａであっても、一時保留部５０Ａに格納されている紙幣１００の種類に対応したスタッカカセット６０のみを予め駆動することにより、一時保留部５０Ａに格納されていない紙幣１００の種類に対応したスタッカカセット６０の駆動を抑止することが可能である。
【０１５２】
（変形例）
本発明は、上記実施例に限定されず、種々の利用形態や変形が可能である。この利用形態や変形例としては、例えば、次の（ａ）〜（ｄ）のようなものがある。
【０１５３】
（ａ）  実施例１，２の自動取引装置１０，１０Ａ及びその省電力方法は、カード投入を検知することによって、入出金ユニット４０，４０Ａの省電力モードの解除を開始するように構成した。しかし、これに限定されず、カード挿入、手数料確認、取引選択入力、暗証番号入力、出金金額入力のいずれかを検知したことによって、入出金ユニット４０，４０Ａの省電力モードの解除を開始するように構成しても良い。
【０１５４】
（ｂ）  実施例１，２の自動取引装置１０，１０Ａ及びその省電力方法は、日本円の紙幣を入出金するように構成した。しかし、これに限定されず、日本の硬貨、外国の紙幣・硬貨のいずれを入出金するように構成しても良い。
【０１５５】
（ｃ）  実施例１，２の自動取引装置１０，１０Ａ及びその省電力方法は、千円紙幣と１万円紙幣をスタッカカセット６０に割り当て、２千円紙幣と５千円紙幣をリジェクト庫７０に割り当てた。しかし、これに限定されず、全ての紙幣種類を各々のスタッカカセット６０に割り当てても良い。
【０１５６】
（ｄ）  実施例１の一時保留部５０は、集積した紙幣１００を最上部に蓄え、蓄えた順番の逆順で送出する機能を有している。しかし、これに限定されず、蓄えた順番の逆順で送出する機能を有していても良い。
【符号の説明】
【０１５７】
１０，１０Ａ  自動取引装置
１１  制御部
２０  顧客操作表示ユニット
３０  カードリーダユニット
４０，４０Ａ  入出金ユニット
４１  メカ制御部
４２  接客部
４３  識別部
５０，５０Ａ  一時保留部
６０−１〜６０−４  スタッカカセット
７０  リジェクト庫
９０  ホストコンピュータ
９１  通信回線
１００  紙幣
【図１】
0005565235.tif 000002
【図２】
0005565235.tif 000003
【図３】
0005565235.tif 000004
【図４】
0005565235.tif 000005
【図５】
0005565235.tif 000006
【図６】
0005565235.tif 000007
【図７】
0005565235.tif 000008
【図８】
0005565235.tif 000009
【図９】
0005565235.tif 000010
【図１０】
0005565235.tif 000011
【図１１】
0005565235.tif 000012
【図１２】
0005565235.tif 000013
【図１３】
0005565235.tif 000014
【図１４】
0005565235.tif 000015
【図１５】
0005565235.tif 000016